(57)【特許請求の範囲】
【請求項１】
取付け面に対して、電気的接続部が設けられた接続面を有する接続ユニットを、該接続面が前記取付け面から露出するように取付けるための接続ユニットの取付け構造であって、
前記取付け面から内方に向かって形成され、互いに向かい合う一対の支持側側面と、
前記接続ユニットに設けられ、前記一対の支持側側面にそれぞれ対向するように配置された一対の被支持側側面と、
互いに対向する前記支持側側面または前記被支持側側面の一方の面に前記取付け面に直交する直交方向に沿って設けられ、前記一方の面から突出する凸条部と、
他方の面に設けられ、前記凸条部が挿入される保持溝と、
互いに対向する前記支持側側面または前記被支持側側面の片方の面に設けられた凹部と、
もう片方の面に設けられ、前記凹部に係合するとともに、突出する方向に沿って進退可能に設けられた凸片と、
を備え、
前記凸条部および前記保持溝はそれぞれ２つ設けられているとともに、
前記凹部または前記凸片の一方が２つの前記凸条部の間に設けられていることを特徴とする接続ユニットの取付け構造。
【請求項２】
取付け面に対して、電気的接続部が設けられた接続面を有する接続ユニットを、該接続面が前記取付け面から露出するように取付けるための接続ユニットの取付け構造であって、
前記取付け面から内方に向かって形成され、互いに向かい合う一対の支持側側面と、
前記接続ユニットに設けられ、前記一対の支持側側面にそれぞれ対向するように配置された一対の被支持側側面と、
互いに対向する前記支持側側面または前記被支持側側面の一方の面に前記取付け面に直交する直交方向に沿って設けられ、前記一方の面から突出する凸条部と、
他方の面に設けられ、前記凸条部が挿入される保持溝と、
互いに対向する前記支持側側面または前記被支持側側面の片方の面に設けられた凹部と、
もう片方の面に設けられ、前記凹部に係合するとともに、突出する方向に沿って進退可能に設けられた凸片と、
を備え、
前記保持溝は、前記凸条部を前記直交方向の所定の位置で保持する保持部を有し、
前記凸片は、前記保持部により前記凸条部が保持された時に、進出して前記凹部に係合するように設けられていることを特徴とする接続ユニットの取付け構造。
【請求項３】
前記支持側側面または前記被支持側側面には、
前記凸片が設けられ、基端が前記支持側側面または前記被支持側側面に接続されるとともに、先端が前記凸片の突出する方向に首振り可能に設けられた首振り部材が備えられていることを特徴とする請求項１または請求項２に記載の接続ユニットの取付け構造。
【請求項４】
前記一対の被支持側側面を有する前記接続ユニットと、前記一対の支持側側面を有し、前記接続ユニットが挿入され、前記取付け面を有する什器に着脱可能に取付けられた接続ユニット取付け具とを備え、
前記接続ユニットは、箱状に形成され、外面の一部が前記一対の被支持側側面を構成し、前記接続ユニットの前記外面の前記一対の被支持側側面と異なる他の面と前記接続ユニット取付け具との間に隙間を有して挿入され、
前記接続ユニット取付け具の開口を閉塞するための蓋部が、前記隙間から突没可能に設けられ、
請求項１から請求項３のいずれかに記載の接続ユニットの取付け構造を有することを特徴とする接続システム。
【発明の詳細な説明】
【技術分野】
【０００１】
本発明は、接続ユニットの取付け構造および接続システムに関する。
【背景技術】
【０００２】
従来、オフィスや勉強部屋等の執務空間で使用されるデスク装置やテーブル等の什器において、使用者の使い勝手を向上させるために、所定の取付け面に電源線や情報線との接続を可能とする電気的接続部が設けられている場合がある。
什器の取付け面に電気的接続部を取付ける構造としては、たとえば、特許文献１に示すコンセントボックス取付け装置（接続ユニットの取付け構造）のような構成がある。このコンセントボックス取付け装置は、デスクの天面（取付け面）に形成された取付け孔の両内縁に上方にＬ字状に延びるフックを形成し、ほぼ直方体に形成されたコンセントボックス（接続ユニット）の両側面にＬ字を上下反転させた形状の支持部を備え、前記フックの上方にこの支持部を係合させた状態で、フックの下方にコンセントボックスから係止片を突出させている。フックを支持部と係止片で挟持することにより、取付け面にコンセントボックスを取付けている。
このコンセントボックス取付け装置によれば、ドライバー等の工具を必要とせず、きわめて簡易に着脱することができるという。
【０００３】
また、特許文献２および特許文献３に示すコンセントボックスの取付け装置も、取付け孔に形成されたフックの形状は特許文献１のフックの形状と同様である。特許文献２では、支持枠にコンセントを挿入するときにコンセントに押されることによりフックの下部に係合部が係合するようになっており、特許文献３では、コンセントを固定した挟持板を天板に圧接することにより、コンセントボックスを天板に取付けている。
【先行技術文献】
【特許文献】
【０００４】
【特許文献１】実開平７−４２０４７号公報
【特許文献２】特開平７−７９８２２号公報
【特許文献３】実開平７−１７１３６号公報
【発明の概要】
【発明が解決しようとする課題】
【０００５】
しかしながら、これらのコンセントボックス取付け装置では、フックや係止片等が備えられているので、装置が大型化して天面を実際に使用できる面積が小さくなってしまい、什器の使い勝手が悪くなるという問題がある。また、コンセントボックスは様々な方向を向く取付け面に取付けられることがあり、そのときに取付け面に対してコンセントボックスが傾いて挿入された場合には、コンセントボックスを所定の場所に位置決めするのが困難になってしまうという問題を有していた。
【０００６】
本発明は、このような問題点に鑑みてなされたものであって、取付け面に取付ける時の位置決めが容易で、コンパクトに構成することができる接続ユニットの取付け構造および接続システムを提供することを目的とする。
【課題を解決するための手段】
【０００７】
上記課題を解決するために、この発明は以下の手段を提案している。
本発明の接続ユニットの取付け構造は、取付け面に対して、電気的接続部が設けられた接続面を有する接続ユニットを、該接続面が前記取付け面から露出するように取付けるための接続ユニットの取付け構造であって、前記取付け面から内方に向かって形成され、互いに向かい合う一対の支持側側面と、前記接続ユニットに設けられ、前記一対の支持側側面にそれぞれ対向するように配置された一対の被支持側側面と、互いに対向する前記支持側側面または前記被支持側側面の一方の面に前記取付け面に直交する直交方向に沿って設けられ、前記一方の面から突出する凸条部と、他方の面に設けられ、前記凸条部が挿入される保持溝と、互いに対向する前記支持側側面または前記被支持側側面の片方の面に設けられた凹部と、もう片方の面に設けられ、前記凹部に係合するとともに、突出する方向に沿って進退可能に設けられた凸片と、を備え、前記凸条部および前記保持溝はそれぞれ２つ設けられているとともに、前記凹部または前記凸片の一方が２つの前記凸条部の間に設けられていることを特徴としている。
【０００８】
この発明によれば、取付け面に接続ユニットを取付けるときに、支持側側面と接続ユニットに設けられた被支持側側面とをそれぞれ対向させるように配置させ、支持側側面または被支持側側面の一方の面に設けられた凸条部を他の面に設けられた保持溝に係合させる。凸条部および保持溝はともに取付け面に直交する直交方向に延びるので、被支持側側面を支持側側面に沿って移動させつつ保持溝に凸条部を挿入させることで、取付け面に対して接続ユニットを位置決めして接続ユニットを直交方向に容易に挿入することができる。
そして、接続ユニットを挿入していくと、凸片が一時的に自身が突出する方向に沿って退避し、凸片が凹部に対向する位置にきたときに凸片が前記突出する方向に進出して凸片が凹部に係合し、接続ユニットが取付け面に固定された状態となる。したがって、取付け面に対して接続ユニットを容易に取付けることができる。
また、接続ユニットの取付け構造は、互いに係合する保持溝と凸条部、および凹部と凸片の支持側側面に垂直な方向の厚さのみで構成することができるので、接続ユニットの取付け構造を小型にすることができる。
また、接続ユニットを、２つの凸条部が並ぶ方向の両側から凸条部で支持するとともに、２つの凸条部間の空いた場所に凹部または凸片の一方を配置している。したがって、接続ユニットの取付け構造における前記並ぶ方向の寸法を抑えつつ、接続ユニットを前記並ぶ方向により安定させて取付け面に取付けることができる。
【００１０】
また、本発明の他の接続ユニットの取付け構造は、取付け面に対して、電気的接続部が設けられた接続面を有する接続ユニットを、該接続面が前記取付け面から露出するように取付けるための接続ユニットの取付け構造であって、前記取付け面から内方に向かって形成され、互いに向かい合う一対の支持側側面と、前記接続ユニットに設けられ、前記一対の支持側側面にそれぞれ対向するように配置された一対の被支持側側面と、互いに対向する前記支持側側面または前記被支持側側面の一方の面に前記取付け面に直交する直交方向に沿って設けられ、前記一方の面から突出する凸条部と、他方の面に設けられ、前記凸条部が挿入される保持溝と、互いに対向する前記支持側側面または前記被支持側側面の片方の面に設けられた凹部と、もう片方の面に設けられ、前記凹部に係合するとともに、突出する方向に沿って進退可能に設けられた凸片と、を備え、前記保持溝は、前記凸条部を前記直交方向の所定の位置で保持する保持部を有し、前記凸片は、前記保持部により前記凸条部が保持された時に、進出して前記凹部に係合するように設けられていることを特徴としている。
この発明によれば、保持部により凸片が保持されて安定した状態になったときに、取付け面に接続ユニットを取付けるので、接続ユニットをより安定させて取付けることができる。
【００１１】
また、上記の接続ユニットの取付け構造において、前記支持側側面または前記被支持側側面には、前記凸片が設けられ、基端が前記支持側側面または前記被支持側側面に接続されるとともに、先端が前記凸片の突出する方向に首振り可能に設けられた首振り部材が備えられていることがより好ましい。
この発明によれば、首振り部材をその基端を中心として首振り動作させることにより、凹部に凸片を係合させることと凹部から凸片を取外すことを容易に行うことができる。
【００１２】
また、本発明の接続システムは、前記一対の被支持側側面を有する前記接続ユニットと、前記一対の支持側側面を有し、前記接続ユニットが挿入され、前記取付け面を有する什器に着脱可能に取付けられた接続ユニット取付け具とを備え、前記接続ユニットは、箱状に形成され、外面の一部が前記一対の被支持側側面を構成し、前記接続ユニットの前記外面の前記一対の被支持側側面と異なる他の面と前記接続ユニット取付け具との間に隙間を有して挿入され、前記接続ユニット取付け具の開口を閉塞するための蓋部が、前記隙間から突没可能に設けられ、上記のいずれかに記載の接続ユニットの取付け構造を有することを特徴としている。
【００１３】
この発明によれば、箱状に形成された接続ユニットは接続ユニット取付け具に対して一対の被支持側側面側のみで接続されているので、接続ユニットの他の面と接続ユニット取付け具との間に形成された隙間に蓋部を設けることができる。また、この蓋部で接続ユニット取付け具の開口を閉塞することができる。
【発明の効果】
【００１４】
本発明の接続ユニットの取付け構造および接続システムによれば、取付け面に取付ける時の位置決めが容易で、コンパクトに構成することができる。
【図面の簡単な説明】
【００１５】
【図１】本発明の実施形態の接続システムを什器に取付けた状態を示す斜視図である。
【図２】同接続システムを分解した斜視図である。
【図３】同接続システムの接続装置を分解した斜視図である。
【図４】図１中の切断線Ｂ１−Ｂ１の断面図である。
【図５】図１中の切断線Ｂ２−Ｂ２の断面図である。
【図６】図１中の切断線Ｂ３−Ｂ３の断面図である。
【図７】同接続システムの接続ユニット取付け具の開口を蓋部で閉塞させた状態を示す断面図である。
【図８】同接続システムの接続ユニット取付け具に接続ユニットを取付ける手順を説明する断面図である。
【図９】同接続システムの接続ユニット取付け具に接続ユニットを取付ける手順を説明する断面図である。
【発明を実施するための形態】
【００１６】
以下、本発明に係る接続システムの実施形態を、図１から図９を参照しながら説明する。
図１に示すように、この接続システム１は、デスク装置等の什器Ａの天板Ａ１等に設けられた取付け面Ａ２に、コンセント等の電気的接続部１１を取付けるために用いられるものである。なお、取付け面は、デスク装置の天板に設けられたものに限ることなく、デスク装置の脚体や幕板等の他の部分や、壁や仕切り等に設けられたものであってもよい。
図１および図２に示すように、接続システム１は、箱状に形成された接続ユニット２を有する接続装置３と、略角筒状に形成され内部に接続ユニット２が挿入される接続ユニット取付け具４と、接続ユニット取付け具４に対して接続ユニット２を取付ける接続ユニットの取付け構造（以下、「取付け構造」と称する。）５と、接続ユニット取付け具４の開口を閉塞するための板状の蓋部６とを備えている。
【００１７】
接続装置３は、前記接続ユニット２と、接続ユニット２に電気的に接続された接続ケーブル８とを有している。本実施形態では、接続ユニット２は、取付け面Ａ２に平行な方向Ｄ１に延びた形状に形成されている。
接続ユニット２は、コンセント９やＬＡＮコネクタ１０等の電気的接続部１１が設けられた接続面１２を有していて、接続ユニット２を取付け面Ａ２に取付けたときに接続面１２が取付け面Ａ２から露出するように構成されている。
なお、本実施形態では、接続面１２は、取付け面Ａ２とほぼ同一面上に配置されるように設定されている。
【００１８】
次に、接続装置３の内部構造について説明する。
図３に示すように、接続装置３の接続ユニット２は、略板状に形成された第一のカバー１５および第二のカバー１６と、カバー１５、１６の両端部に取付けられ略Ｌ字状に形成された第一のサイドカバー１７および第二のサイドカバー１８と、カバー１５、１６に着脱可能に取付けられる４つのケーシング２６と、ケーシング２６内に装着されるコンセントユニット２７およびＬＡＮコネクタユニット２８を有している。
なお、説明の便宜上、ケーシング２６、コンセントユニット２７、ＬＡＮコネクタユニット２８、および後述するネジ部材２９は、図３内にそれぞれ１つのみ示している。
接続面１２は、サイドカバー１７、１８およびケーシング２６の上面により構成されている。
【００１９】
第一のカバー１５には６つの貫通孔１５ａが、第二のカバー１６には貫通孔１５ａに対応する位置に６つのボス１６ａがそれぞれ形成されている。
図２および図３に示すように、第一のサイドカバー１７の外側の側面（被支持側側面）１７ａには、接続面１２に直交する直交方向Ｄ２に沿って形成され、側面１７ａから没入する２つの保持溝２０と、凸片２１が設けられ基端が側面１７ａに接続された首振り部材２２とが設けられている。凸片２１および首振り部材２２は、２つの保持溝２０の間に配置されている。
保持溝２０の接続面１２側の端部には、後述する凸条部４０の端部を直交方向Ｄ２の所定の位置で保持する保持部２３が形成されている。
首振り部材２２は直交方向Ｄ２に延びるように形成され、その先端は接続面１２まで延びている。首振り部材２２は、首振り部材２２と側面１７ａとの間に形成されたスリットＳ１により基端のみが側面１７ａに接続されていて、その先端は、首振り部材２２の弾性により、凸片２１が突出する方向Ｄ１に首振り可能になっている。これにより、凸片２１は方向Ｄ１に進退可能となっている。
【００２０】
第二のサイドカバー１８には、第一のサイドカバー１７の側面１７ａと平行に配置された側面（被支持側側面）１８ａが形成され、側面１８ａには、側面１７ａと同様に、不図示の保持溝および首振り部材が設けられている。
サイドカバー１７、１８は、公知の嵌合構造によりカバー１５、１６に着脱可能に取付けることができる。
【００２１】
４つのケーシング２６は、第一のサイドカバー１７と第二のサイドカバー１８の間に方向Ｄ１に一列に並べた状態で配置され、カバー１５、１６に着脱可能に取付けられている。それぞれのケーシング２６内には、前記コンセント９が設けられたコンセントユニット２７や前記ＬＡＮコネクタ１０が設けられたＬＡＮコネクタユニット２８が装着される。コンセントユニット２７にはコンセント９に電気的に接続された電源線２７ａが延設され、ＬＡＮコネクタユニット２８にはＬＡＮコネクタ９に電気的に接続された情報線２８ａが延設されている。
【００２２】
本実施形態では、接続ユニット２には、ケーシング２６内にコンセントユニット２７が装着されたものが３つ、ケーシング２６内にＬＡＮコネクタユニット２８が装着されたものが１つ備えられている。そして、３つのコンセントユニット２７に設けられた電源線２７ａ、およびＬＡＮコネクタユニット２８に設けられた情報線２８ａによって、前記接続ケーブル８が構成されている。
なお、接続ユニット２に備えられるケーシング２６の数に制限は無く、ケーシング２６内に装着されるユニットに設けられる電気的接続部１１も、コンセント９やＬＡＮコネクタ１０に限られず、ＵＳＢコネクタ等でもよい。
【００２３】
第一のカバー１５と第二のカバー１６は、ネジ部材２９をそれぞれの貫通孔１５ａに挿通させた状態でボス１６ａに螺着させることにより、互いの間にサイドカバー１７、１８およびケーシング２６を挟んだ状態で固定される。
このとき、図２に示すように、カバー１５、１６の間の直交方向Ｄ２の一方の側からコンセント９およびＬＡＮコネクタ１０が露出した状態に構成されるとともに、直交方向Ｄ２の他方の側から接続ケーブル８が延びた状態に構成される。
【００２４】
図２に示すように、接続ユニット取付け具４は、略角筒状に形成された本体部３２と、本体部３２の一方の外縁部に設けられたフランジ３３と、本体部３２に対してフランジ３３とは反対側に設けられた爪部３４とを有している。
本体部３２は、図２および図４に示すように、方向Ｄ１に直交するように配置された一対の第一の側壁３５と、方向Ｄ１に平行に配置され第一の側壁３５に連なる一対の第二の側壁３６と、図２および図５に示す一対の第一の側壁３５の外側に配置された一対の外壁３７とを有している
なお、説明の便宜上、図４においては接続ユニット２の内部を省略して示し、図５、６、８、９においては接続ユニット２の内部の一部を省略して示している。
【００２５】
図２に示すように、一対の第一の側壁３５および一対の第二の側壁３６は、接続ユニット２のカバー１５、１６およびサイドカバー１７、１８を囲うように環状に形成され、フランジ３３に接続されている。図５に示すように、外壁３７は、両端部において一対の第二の側壁３６のみに接続され、フランジ３３との間には一定の隙間が形成されている。
図５および図６に示すように、接続ユニット取付け具４の一対の第一の側壁３５の内側の側面（支持側側面）３５ａは、互いに向かい合うように配置され平行になっている。そして、これら一対の第一の側壁３５の側面３５ａを接続ユニット２の側面１７ａ、１８ａに対して互いに対向するように配置してから、接続ユニット取付け具４に接続ユニット２を挿入するようになっている。
【００２６】
図２に示すように、それぞれの側面３５ａには、直交方向Ｄ２に沿って形成され側面３５ａから突出する２つの凸条部４０と、２つの凸条部４０の間の側面３５ａに形成された貫通孔（凹部）４１とが設けられている。図５に示すように、それぞれの凸条部４０は、保持溝２０に挿入された状態で係合している。そして、これら凸条部４０の直交方向Ｄ２の一方の端部が保持部２３に当接することにより、接続ユニット２は接続ユニット取付け具４に対して直交方向Ｄ２の所定の位置で保持され、この保持された状態で、図６に示すように凸片２１が貫通孔４１に係合するようになっている。
これら、サイドカバー１７、１８の側面１７ａ、１８ａ、保持溝２０、凸片２１、接続ユニット取付け具４の側面３５ａ、凸条部４０、および貫通孔４１で、上記取付け構造５を構成する。
【００２７】
図４に示すように、接続ユニット取付け具４に接続ユニット２を取付けたときに、接続ユニット２と一方の第二の側壁３６との間には、蓋部６の厚さよりも大きな隙間Ｐが形成されるように接続ユニット取付け具４および接続ユニット２の寸法が設定されている。そして、図２および図４に示すように、それぞれの側面３５ａにおける前記一方の第二の側壁３６側のフランジ３３近傍には、方向Ｄ１に平行な所定の軸線上に配置されて略円柱状に延びて蓋部６に係合する係合部４２が備えられている。
また、接続ユニット取付け具４には、蓋部６が接続ユニット取付け具４の開口を閉塞するように支持する不図示の支持部が備えられている。
【００２８】
図２および図５に示すように、第一の側壁３５とフランジ３３との接続部には、使用者の指が挿入できる程度の大きさに窪んだ指先挿入部４４が形成されている。
また、図５に示すように、一対の外壁３７の外面の方向Ｄ１の距離は、天板Ａ１の開口Ａ３の方向Ｄ１の距離と等しいか、わずかに大きい程度に設定されている。
【００２９】
図２に示すように、それぞれの第二の側壁３６の下方には、方向Ｄ１に離間して２つの前記爪部３４が設けられている。
爪部３４の方向Ｄ１の両側には直交方向Ｄ２に延びるスリットＳ２が形成されていて、爪部３４は第二の側壁３６の厚さ方向に首振り可能に取付けられている。そして、図４に示すように、フランジ３３と爪部３４との距離は、天板Ａ１の厚さと等しくなるように設定されている。
このように構成された接続ユニット取付け具４は、天板Ａ１の取付け面Ａ２の開口Ａ３に対して着脱可能となるとともに、外壁３７の外側の側面と天板Ａ１の開口Ａ３の外縁部との摩擦力により、天板Ａ１の開口Ａ３から接続ユニット取付け具４が意図せずに外れるのが防止されている。
【００３０】
図２に示すように、蓋部６の寸法は接続ユニット取付け具４の開口よりわずかに小さい程度に設定されていて、前述の隙間Ｐ内に方向Ｄ１に延設されている。図４に示すように蓋部６の方向Ｄ１に直交するように配置された一対の端面には、係合部４２に係合する長溝６ａがそれぞれ形成されていて、係合部４２は長溝６ａ内を移動可能かつ回転可能になっている。
蓋部６は、隙間Ｐ内でそれぞれの長溝６ａに係合部４２が係合された状態で保持されている。
このように構成された蓋部６は、接続ユニット取付け具４の隙間Ｐから突没可能になるとともに、係合部４２回りに回転可能になっている。
【００３１】
次に、以上のように構成された接続システム１を什器Ａの天板Ａ１に取付ける手順について説明する。
まず、使用者は、蓋部６の長溝６ａを接続ユニット取付け具４の係合部４２に係合させることにより、蓋部６を接続ユニット取付け具４に取付けておく。
続いて、什器Ａの天板Ａ１に形成された開口Ａ３に接続ユニット取付け具４を挿入して、天板Ａ１をフランジ３３と爪部３４との間に挟み込む。このとき、外壁３７の外側の側面と天板Ａ１の開口Ａ３の外縁部との摩擦力により、接続ユニット取付け具４は天板Ａ１にガタつくことなく取付けられる。
なお、接続ユニット２を使用しないときには、図７に示すように、長溝６ａ内で係合部４２を移動させることにより接続ユニット取付け具４から蓋部６を所定の位置まで引き出し、その後、蓋部６を係合部４２回りに回転させるとともに不図示の支持部で支持させることにより、蓋部６で接続ユニット取付け具４の開口を閉塞させてもよい。
【００３２】
次に、天板Ａ１に取付けた接続ユニット取付け具４に接続装置３を取付けるときには、まず、図２に示すように接続ユニット取付け具４の開口Ａ３に接続ケーブル８を挿通させておく。そして、図８に示すように、接続ユニット取付け具４の側面３５ａが接続ユニット２の側面１７ａ、１８ａに対向するように配置させつつ、接続ユニット取付け具４に設けられた合計４つの凸条部４０に接続ユニット２の保持溝２０をそれぞれ挿通させ、接続ユニット取付け具４に対して接続ユニット２を下方に移動させていく。
この間には、図９に示すように、凸片２１は接続ユニット取付け具４の側面３５ａに当接し、首振り部材２２が撓むことにより方向Ｄ１に退避する。そして、接続ユニット２をさらに下方に移動させると、図５に示すように、凸条部４０の直交方向Ｄ２の一方の端部が保持部２３に当接することにより、接続ユニット２が凸条部４０上で下方から支持される。そして、このとき、図６に示すように接続ユニット２の凸片２１に対して接続ユニット取付け具４の貫通孔４１が対向する位置にくるので、凸片２１が首振り部材２２の弾性力により方向Ｄ１の貫通孔４１側に進出し、凸片２１が貫通孔４１に係合する。
以上により、什器Ａの天板Ａ１の開口Ａ３に接続システム１が取付けられる。
【００３３】
なお、什器Ａの天板Ａ１から接続システム１を取外すには、まず、使用者は、接続ユニット２の指先挿入部４４に指をかけ、首振り部材２２の先端を方向Ｄ１のうち指先挿入部４４から離間する方向に移動させる。すると、首振り部材２２が撓んで凸片２１が貫通孔４１から外れるので、接続ユニット取付け具４に対して接続ユニット２を上方に移動させて取り外す。
また、什器Ａの天板Ａ１から接続ユニット取付け具４を取外すには、天板Ａ１の底面に係合している爪部３４を退避させておき、天板Ａ１から接続ユニット取付け具４を上方に抜き取る。
【００３４】
以上説明したように、本実施形態の接続システム１および取付け構造５によれば、接続ユニット取付け具４に接続ユニット２を取付けるときに、接続ユニット取付け具４の側面３５ａと接続ユニット２の側面１７ａ、１８ａとをそれぞれ対向させるように配置させ、側面３５ａに設けられた凸条部４０を側面１７ａに設けられた保持溝２０に挿入させる。凸条部４０および保持溝２０はともに直交方向Ｄ２に延びるので、側面１７ａ、１８ａを側面３５ａに沿って移動させつつ保持溝２０に凸条部４０を挿入させることで、接続ユニット取付け具４に対して接続ユニット２を位置決めして接続ユニット２を直交方向Ｄ２に容易に挿入することができる。
そして、接続ユニット２を挿入していくと、凸片２１が一時的に方向Ｄ１に移動して退避し、凸片２１が貫通孔４１に対向する位置にきたときに凸片２１が方向Ｄ１に進出して凸片２１が貫通孔４１に係合し、接続ユニット２が接続ユニット取付け具４に固定された状態となる。したがって、接続ユニット取付け具４に対して接続ユニット２を容易に取付けることができる。
また、取付け構造５は、互いに係合する保持溝２０と凸条部４０、および貫通孔４１と凸片２１の方向Ｄ１の厚さのみで構成することができるので、取付け構造５を小型にすることができる。
【００３５】
そして、接続ユニット２を、２つの凸条部２０が並ぶ方向、すなわち方向Ｄ１および直交方向Ｄ２にそれぞれ直交する方向の両側から凸条部２０で支持するとともに、２つの凸条部２０間の空いた場所に貫通孔４１を配置している。したがって、取付け構造５における前記並ぶ方向の寸法を抑えつつ、接続ユニットを前記並ぶ方向により安定させて取付け面に取付けることができる。
【００３６】
さらに、凸片２１が設けられた首振り部材２２が備えられているので、首振り部材２２をその基端を中心として首振り動作させることにより、貫通孔４１に凸片２１を係合させることと貫通孔４１から凸片２１を取外すことを容易に行うことができる。
そして、接続ユニット２は接続ユニット取付け具４に対して方向Ｄ１の両側のみで接続されているので、隙間Ｐに蓋部６を設けることができ、また、この蓋部６で接続ユニット取付け具４の開口を閉塞することができる。
【００３７】
以上、本発明の実施形態について図面を参照して詳述したが、具体的な構成はこの実施形態に限られるものではなく、本発明の要旨を逸脱しない範囲の構成の変更等も含まれる。
たとえば、上記実施形態では、それぞれの第一の側壁３５の側面３５ａに２つの凸条部４０と１つの貫通孔４１を設け、側面３５ａに対向する接続ユニット２の側面１７ａに対応する数の保持溝２０と凸片２１を設けた。しかし、側面３５ａに設けられる凸条部４０および貫通孔４１の数に制限はなく、それぞれの数が１つ以上であれば幾つでもよい。
【００３８】
また、上記実施形態では、接続ユニット２の側面１７ａ、１８ａに保持溝２０と凸片２１設け、側面１７ａ、１８ａに対向するように配置される第一の側壁３５の側面３５ａに凸条部４０と貫通孔４１を設けた。しかし、これら保持溝２０、凸片２１、凸条部４０および貫通孔４１の配置はこの限りではなく、側面１７ａ、１８ａおよび側面３５ａのいずれか一方の面に凸条部が設けられ、他方の面にこの凸条部に対応するように保持溝が設けられるとともに、側面１７ａ、１８ａおよび側面３５ａの片方の面に貫通孔が設けられ、もう片方の面にこの貫通孔に対応するように凸片が設けられていればよい。
【００３９】
そして、上記実施形態では、接続ユニット２が上方から受ける荷重が小さいときには、保持溝２０に保持部２３は形成されなくてもよい。凸片２１と貫通孔４１との係合により接続ユニット２が上方から受ける荷重を支えるようにできるからである。
また、上記実施形態では、凹部を第一の側壁３５を貫通する貫通孔４１としたが、凹部は第一の側壁３５の側面３５ａから窪んだ凹部や第一の側壁３５に形成された切欠きであってもよい。
【符号の説明】
【００４０】
１    接続システム
２    接続ユニット
４    接続ユニット取付け具
５    接続ユニットの取付け構造
６    蓋部
１１  電気的接続部
１２  接続面
１７ａ、１８ａ  側面（被支持側側面）
２０  保持溝
２１  凸片
２２  首振り部材
２３  保持部
３５ａ  側面（支持側側面）
４０  凸条部
４１  貫通孔（凹部）
Ａ    什器
Ａ２  取付け面
Ｄ２  直交方向
Ｐ    隙間
【図１】
0005518439.tif 000002
【図２】
0005518439.tif 000003
【図３】
0005518439.tif 000004
【図４】
0005518439.tif 000005
【図５】
0005518439.tif 000006
【図６】
0005518439.tif 000007
【図７】
0005518439.tif 000008
【図８】
0005518439.tif 000009
【図９】
0005518439.tif 000010